(57)【要約】【課題】異なる入退場管理エリアへの入退場を正確に認識することができ、システム構成を簡素化してコストを低減することができる入退場管理システム、ＲＦタグ、セキュリティ装置及び入退場管理方法を提供する。【解決手段】入退場管理システム１は、入退場管理エリアに設置され、ＲＦタグ１０との間でＩＤを送信又は受信する親局であるセキュリティ装置１００を備える。ＲＦタグ１０は、自身を一意に識別するための固定ＩＤと、事前登録により入退場管理エリアへの入退場を可能にする変動ＩＤとを記憶する記憶部１２，１３と、セキュリティ装置からの位置ＩＤ及び変動ＩＤを受信する受信部１４と、受信した変動ＩＤと自身が保持している変動ＩＤとのＩＤが合致するか否かを判別する制御部１１と、制御部が受信した変動ＩＤと自身が保持している変動ＩＤとのＩＤが合致した場合、自身の固定ＩＤと共に位置ＩＤを発信する発信部１５と、を備える。【選択図】図１
2015228134.tif 000002
【特許請求の範囲】
【請求項１】
入退場管理エリアに設置され、子局であるＲＦタグとの間でＩＤを送信又は受信する親局であるセキュリティ装置を備え、
前記セキュリティ装置は、
親局のアンテナ位置を特定する第１のＩＤと、事前登録により前記入退場管理エリアへの入退場を可能にする第２のＩＤとを記憶する記憶部と、
前記第１のＩＤと前記第２のＩＤとを発信する発信部と、
前記発信に応答して前記ＲＦタグから送信された前記第１のＩＤと当該ＲＦタグに固有の第３のＩＤとを受信する受信部と、
前記ＲＦタグから発信される第１のＩＤと第３のＩＤを受信した場合、各ＩＤに基づいて入退場のための施錠の解除又は通知を行う制御部と、を備え、
前記ＲＦタグは、
前記セキュリティ装置から受信した第２のＩＤと自身に事前登録されている第２のＩＤとが合致した場合、前記第３のＩＤと前記第１のＩＤを発信する
ことを特徴とする入退場管理システム。
【請求項２】
前記ＲＦタグは、
前記第３のＩＤと前記第２のＩＤとを記憶する記憶部と、
前記セキュリティ装置が備える発信部から発信される第１のＩＤ及び第２のＩＤを受信する受信部と、
前記受信した第２のＩＤと自身が保持している第２のＩＤとが合致した場合、前記第３のＩＤと共に前記第１のＩＤを発信する発信部と、を備える
ことを特徴とする請求項１に記載の入退場管理システム。
【請求項３】
前記第２のＩＤは、前記入退場管理エリアに対応したｎ（ｎは任意の自然数）個の書換可能なＩＤからなる
ことを特徴とする請求項１又は請求項２に記載の入退場管理システム。
【請求項４】
入退場管理エリアに設置されるセキュリティ装置との間でＩＤを送信または受信するＲＦタグであって、
前記セキュリティ装置から送信される当該セキュリティ装置の位置を特定する第１のＩＤおよび事前登録により前記入退場管理エリアへの入退場を可能にする第２のＩＤを受信する受信部と、
前記受信した第２のＩＤと自身が保持している第２のＩＤとが合致した場合、自身に固有の第３のＩＤと共に受信した前記第１のＩＤを発信する発信部と、を備える
ことを特徴とするＲＦタグ。
【請求項５】
前記ＲＦタグは、
書き換えできない書き換え不可領域と、書き換え可能領域とを含む記憶部を有し、
前記第２のＩＤを前記書き換え可能領域に記憶し、
前記第３のＩＤを前記書き換え不可領域に記憶する
ことを特徴とする請求項４に記載のＲＦタグ。
【請求項６】
入退場管理エリアに設置され、子局であるＲＦタグとの間でＩＤを送信又は受信する親局であるセキュリティ装置であって、
親局のアンテナ位置を特定する第１のＩＤと、事前登録により前記入退場管理エリアへの入退場を可能にする第２のＩＤとを記憶する記憶部と、
前記第１のＩＤと前記第２のＩＤとを発信する発信部と、
前記発信に応答して前記ＲＦタグから送信される前記第１のＩＤと当該ＲＦタグに固有の第３のＩＤとを受信する受信部と、
前記ＲＦタグから発信される第１のＩＤと第３のＩＤを受信した場合、各ＩＤに基づいて入退場のための施錠の解除又は通知を行う制御部と、を備える
ことを特徴とするセキュリティ装置。
【請求項７】
親局であるセキュリティ装置とＲＦタグとの間でＩＤを送信又は受信することで入退場を管理する入退場管理方法であって、
前記セキュリティ装置は、
親局のアンテナ位置を特定する第１のＩＤと、事前登録により前記入退場管理エリアへの入退場を可能にする第２のＩＤとを発信し、
前記ＲＦタグは、
前記セキュリティ装置から発信される前記第１のＩＤと前記第２のＩＤとを受信し、前記受信する第２のＩＤと自身に事前登録されている第２のＩＤとが合致する場合、当該ＲＦタグに固有の第３のＩＤと前記第１のＩＤとを発信し、
前記ＲＦタグから発信される第１のＩＤと前記第３のＩＤとを受信した前記セキュリティ装置は、各ＩＤに基づいて入退場のための施錠の解除又は通知を実行する
ことを特徴とする入退場管理方法。
【発明の詳細な説明】
【技術分野】
【０００１】
本発明は、入退場管理システム、ＲＦタグ、セキュリティ装置及び入退場管理方法
に関する。
【背景技術】
【０００２】
ビル、マンションなどの入退場管理システムの入退可能エリアの設定仕様として、認証媒体のＩＤ毎（個人毎）に入退可能エリアの設定がサーバ側で実施され、入退可能エリアに応じたセキュリティ運用がされている。
また、ＲＦＩＤ（Radio Frequency Identification）方式を利用する入退場管理では、ＲＦタグを内蔵したＩＣカードが利用される。 例えば、マンションの集合玄関に設置されているリーダに、ＲＦタグが備えられているＩＣカードをかざし、認証されると入場が許可される。なお、ＲＦタグには、パッシブ型とアクティブ型とがある。自己に内蔵された電池のエネルギによって電波の発信を行うセミパッシブ型又はアクティブ型（さらにはセミアクティブ型）のＲＦタグは、パッシブ型のＲＦタグに比べて、通信距離が極めて長い（例えば、１〜１０ｍの通信距離がある）ので、人物のハンズフリーの入退場管理システムなどに好んで利用されている（例えば、特許文献１参照）。
【先行技術文献】
【特許文献】
【０００３】
【特許文献１】特開２００３−２１６７９号公報
【発明の概要】
【発明が解決しようとする課題】
【０００４】
しかしながら、従来方式では、複数のＩＣカードのＲＦＩＤタグが、同時に入退場管理エリアに進入した場合、ＲＦＩＤタグの発信動作が重なり合って発信信号が衝突し、認識に時間を要する、又は認識ができない問題がある。
また、入退場管理エリアが異なる場合に、セキュリティを確保するには、複数の各入退場管理エリアに対応した複数のＩＣカードを用意しなければならずＩＤ発行管理に手間がかかる。また、ＩＣカード同士の認証作業も必要となるため発行管理も厳重に実施する必要がある。さらに、各入退場管理エリアを一括管理する上位システム（サーバ装置）の設置が必要となる。以上のことから、システム構成が複雑となり、コストがかかる問題がある。
この点は、例えば、ある子供がＩＣカードで入退場管理された学校と学習塾に通う場合（ＩＣカードの管理者が異なる場合）、学校用のＩＣカードと学習塾用のＩＣカードを持つこととなることに加え、管理者が異なることでさらに複雑になる。
【０００５】
本発明は、前記課題を解決するためになされたものであり、簡素なシステム構成で、異なる入退場管理エリアへの入退場を正確に認識することができる入退場管理システム、ＲＦタグ、セキュリティ装置及び入退場管理方法を提供することを課題とする。
【課題を解決するための手段】
【０００６】
上記課題を解決するために、本発明の入退場管理システムは、入退場管理エリアに設置され、子局であるＲＦタグとの間でＩＤを送信又は受信する親局であるセキュリティ装置を備え、前記セキュリティ装置は、親局のアンテナ位置を特定する第１のＩＤと、事前登録により前記入退場管理エリアへの入退場を可能にする第２のＩＤとを記憶する記憶部と、前記第１のＩＤと前記第２のＩＤとを発信する発信部と、前記発信に応答して前記ＲＦタグから送信された前記第１のＩＤと当該ＲＦタグに固有の第３のＩＤとを受信する受信部と、前記ＲＦタグからの第１のＩＤと第３のＩＤを受信した場合、各ＩＤに基づいて入退場のための施錠の解除又は通知を行う制御部と、を備え、前記ＲＦタグは、前記セキュリティ装置から受信した第２のＩＤと自身に事前登録されている第２のＩＤとのＩＤが合致した場合、自身の第３のＩＤと第１のＩＤを発信することを特徴とする。
【発明の効果】
【０００７】
本発明によれば、簡素なシステム構成で、異なる入退場管理エリアへの入退場を正確に認識することができる入退場管理システム、ＲＦタグ、セキュリティ装置及び入退場管理方法を提供する。
【図面の簡単な説明】
【０００８】
【図１】本発明の実施形態に係る入退場管理システムの構成を示す図である。
【図２】上記実施形態に係る入退場管理システムの機能ブロック図である。
【図３】本発明の実施形態に係る入退場管理システムのセキュリティ装置の変動ＩＤの登録処理を示すフローチャートである。
【図４】上記実施形態に係る入退場管理システムの動作を示すフローチャートである。
【発明を実施するための形態】
【０００９】
以下、本発明の実施形態について図面を参照して詳細に説明する。
（実施形態）
図１は、本発明の実施形態に係る入退場管理システムの構成を示す図であり、（ａ）は入退場管理システムの模式図、（ｂ）はＲＦタグに登録された識別ＩＤのブロック図である。
入退場管理システム１は、入退場管理エリアに設置され、子局であるＲＦタグ１０との間でＩＤを送信又は受信する親局であるセキュリティ装置１００を備える。ここでは、入退場管理エリアを３つのエリア（自宅、学校、及び学習塾）として説明する。
【００１０】
図１（ａ）に示すように、入退場管理システム１は、自宅１０１にセキュリティ装置１００ａが、学校１０２にセキュリティ装置１００ｂが、学習塾１０３にセキュリティ装置１００ｃがそれぞれ備えられている。セキュリティ装置１００ａ，１００ｂ，１００ｃを総称する場合はセキュリティ装置１００と呼称する。
【００１１】
セキュリティ装置１００（１００ａ，１００ｂ，１００ｃ）は、発信器１１０と、発信器１１０に接続される送信アンテナ１１４と、受信器１２０と、受信器１２０に接続される受信アンテナ１２４と、電子錠 １３０（図２参照）と、を備える。電子錠１３０は、自動ドアやゲートなど施錠するもの全般を含む。セキュリティ装置１００（１００ａ，１００ｂ，１００ｃ）は、親局のアンテナ位置を特定する位置ＩＤ（第１のＩＤ）と、事前登録により前記入退場管理エリアへの入退場を可能にする変動ＩＤ（第２のＩＤ）と、を有する。
そして、住人は、ＲＦタグ１０が備えられているＩＣカード（図示省略）を所有している。図１（ｂ）に示すように、ＲＦタグ１０は、自身を識別するために各ＲＦタグに一意に付されたユニークな識別ＩＤである固定ＩＤ（第３のＩＤ）と、予め登録しておくことによって該当入退場管理エリアへの入退場が可能なタグであることを示す識別ＩＤである変動ＩＤ（第２のＩＤ）と、を有する。この変動ＩＤは、入退場管理エリアに応じて複数備えられる。図１（ｂ）では、ＲＦタグ１０Ａは、自宅１０１への入退場が可能なタグであることを示す識別ＩＤである変動ＩＤ１、学校１０２への入退場が可能なタグであることを示す識別ＩＤである変動ＩＤ２、及び学習塾１０３への入退場が可能なタグであることを示す識別ＩＤである変動ＩＤ３を備える。また、ＲＦタグ１０Ｂは、学習塾１０３への入退場が可能なタグであることを示す識別ＩＤである変動ＩＤ３のみを備える。変動ＩＤの詳細については後記する。
【００１２】
図１（ａ）に示すように、自宅１０１は、通常時には、扉に設けられた電子錠により閉じられており、セキュリティ装置１００ａから送信された扉解錠信号によって電子錠を解除し扉が開くように構成されている。セキュリティ装置１００ａは、変動ＩＤ１を有する（変動ＩＤ１が記憶された）ＲＦタグ１０Ａのみ応答し、変動ＩＤ１を有しない（変動ＩＤ１が記憶されていない）ＲＦタグ１０Ｂとは応答しないように構成されている。
【００１３】
学校１０２は、通常時には、扉に設けられた電子錠により閉じられており、セキュリティ装置１００ｂから送信された扉解錠信号によって電子錠を解除するように構成されている。セキュリティ装置１００ｂは、変動ＩＤ２を有する（変動ＩＤ２が記憶された）ＲＦタグ１０Ａとのみ応答し、変動ＩＤ２を有しない（変動ＩＤ２が記憶されていない）ＲＦタグ１０Ｂとは応答しないように構成されている。
【００１４】
学習塾１０３は、通常時には、扉に設けられた電子錠により閉じられており、セキュリティ装置１００ｃから送信された扉解錠信号によって電子錠を解除するように構成されている。セキュリティ装置１００ｃは、変動ＩＤ３を有する（変動ＩＤ３が記憶された）ＲＦタグ１０ＡとＲＦタグ１０Ｂとで応答し、変動ＩＤ３を有しない（変動ＩＤ３が記憶されていない）ＲＦタグ１０とは応答しないように構成されている。この例では、ＲＦタグ１０ＡとＲＦタグ１０Ｂとは、いずれも変動ＩＤ３を有するので、セキュリティ装置１００ｃは、ＲＦタグ１０ＡとＲＦタグ１０ＢのいずれのＲＦタグ１０によっても応答し、電子錠を解除し扉が開くように構成されている。
【００１５】
なお、上記電子錠によって解除されるゲートは、扉には限定されず、自動ドアやシャッタ等、セキュリティ解除信号に基づいて制御されて人の入退場を許容したり規制したりすることができるものであればよい。また、セキュリティ装置１００の設置場所は、限定されないが、人の出入り口、例えば玄関やゲートに設置される。
【００１６】
図２は、入退場管理システム１の機能ブロック図である。
図２に示すように、入退場管理システム１は、親局であるセキュリティ装置１００と、子局であるＲＦタグ１０と、を備えて構成される。
【００１７】
[セキュリティ装置]
セキュリティ装置１００は、ＲＦタグ１０（子局）に対応する親局であり、発信器１１０と、発信器１１０に接続される送信アンテナ１１４と、受信器１２０と、受信器１２０に接続される受信アンテナ１２４と、電子錠１３０と、を備える。
【００１８】
発信器１１０は、制御部１１１、記憶部１１２、及び発信部１１３を備える。
制御部１１１は、位置ＩＤ及び変動ＩＤの送信制御を行う。制御部１１１は、ＣＰＵ（Central Processing Unit）、ＲＯＭ（Read Only Memory）、ＲＡＭ（Random Access Memory）を含んで構成され、ＣＰＵは、ＲＯＭに格納された制御プログラムをＲＡＭに展開して実行することにより送信制御を実現する。
【００１９】
記憶部１１２は、書換可能なＥＥＰＲＯＭ（Electrically Erasable Programmable Read-Only Memory）等の不揮発性メモリから構成され、位置ＩＤ及び変動ＩＤを記憶する。位置ＩＤは、親局のアンテナ位置を特定するＩＤである。また、入退場を管理する場合、出入口の外側と内側にそれぞれアンテナを設け（この場合、位置ＩＤは２）、この位置ＩＤ２つによって外→内又は内→外を区別することができる。また、例えば玄関とそれ以外の場所にそれぞれ設置される場合、位置ＩＤはそれに対応して複数設けることも可能である。変動ＩＤは、事前登録により入退場管理エリアへの入退場を可能にするＩＤである。変動ＩＤは、子局が固定ＩＤとは別に、ｎ（ｎは任意の自然数）個持てるＩＤである。すなわち、セキュリティ装置１００（親局）ではなく、ＲＦタグ１０（子局）に変動ＩＤを追加することで、子局側で入退場のための位置ＩＤの送信に対応するものである。
【００２０】
発信部１１３は、記憶部１１２に格納された位置ＩＤ及び変動ＩＤを、送信アンテナ１１４により周囲に発信する。
受信器１２０は、制御部１２１、受信部１２２、及び出力部１２３を備える。
【００２１】
制御部１２１は、位置ＩＤ及び変動ＩＤの受信制御を行う。制御部１２１は、ＣＰＵ、ＲＯＭ、ＲＡＭを含んで構成され、ＣＰＵは、ＲＯＭに格納された制御プログラムをＲＡＭに展開して実行することにより受信制御を実現する。具体的には、制御部１２１は、ＲＦタグ１０からの位置ＩＤと固定ＩＤを受信した場合、各ＩＤに基づいて入退場のための施錠の解除又は通知を行う。制御部１２１における入退場処理の詳細は、図４を参照して後記する。
【００２２】
受信部１２２は、発信に応答してＲＦタグ１０から送信された情報（位置ＩＤ及び当該ＲＦタグ１０に固有の固定ＩＤ）を受信アンテナ１２４で受信し、制御部１２１へ送る。
【００２３】
出力部１２３は、制御部１２１における認証が成功した場合に、電子錠１３０や自動ドア（図示省略）へ開錠の指示を送信する。電子錠１３０は、自動ドアやゲートなど施錠するもの全般を含んでいる。また、電子錠１３０に代えて、入退場を通知する装置（例えば音声出力装置）の作動でもよい。
【００２４】
[ＲＦタグ]
ＲＦタグ１０は、セキュリティ装置１０から受信した変動ＩＤと自身が保持している変動ＩＤとのＩＤが合致した場合、自身の固定ＩＤと位置ＩＤを発信する。ＲＦタグ１０は、制御部１１、書換不可記憶部１２、書換可能記憶部１３、受信部１４及び発信部１５を備える。なお、ＲＦタグ１０は、パッシブ型、セミパッシブ型、アクティブ型、又はセミアクティブ型のいずれのタイプでもよい。
制御部１１は、各部全体を制御するとともに、受信した変動ＩＤと自身が保持している変動ＩＤとのＩＤが合致するか否かを判別し、位置ＩＤを送信する制御を行う。制御部１１は、ＣＰＵ、ＲＯＭ、ＲＡＭを含んで構成され、ＣＰＵは、ＲＯＭに格納された制御プログラムをＲＡＭに展開して実行することにより上記位置ＩＤ送信制御を実現する。
書換不可記憶部１２は、書換不可なＲＯＭ等から構成され、親局のアンテナ位置を特定する固定ＩＤを記憶する。
【００２５】
書換可能記憶部１３は、書換可能なＥＥＰＲＯＭ等の不揮発性メモリから構成され、事前登録により入退場管理エリアへの入退場を可能にする変動ＩＤを記憶する。
受信部１４は、セキュリティ装置１００から送信された情報（位置ＩＤ及び変動ＩＤ）を受信し、制御部１１へ送る。
発信部１５は、制御部１１が受信した変動ＩＤと自身が保持している変動ＩＤとのＩＤが合致した場合、自身の固定ＩＤと共に位置ＩＤを発信する。
【００２６】
以下、上述のように構成された入退場管理システムの動作について説明する。
図３は、セキュリティ装置１００の変動ＩＤの登録処理を示すフローチャートである。
ステップＳ１で制御部１１は、書換可能記憶部１３に該当入退場管理エリアへの入退場を可能にする変動ＩＤが登録されているか否かを判別する。
書換可能記憶部１３に該当変動ＩＤが登録されていない場合（ステップＳ１：Ｎｏ）、ステップＳ２で制御部１１は、書換可能記憶部１３に該当変動ＩＤを記録してステップＳ３に進む。また、上記ステップＳ１で書換可能記憶部１３に該当変動ＩＤが登録されている場合（ステップＳ１：Ｙｅｓ）、ステップＳ３に進む。
ステップＳ３では、制御部１１は、該当変動ＩＤを書換可能記憶部１３から削除するか否かを判別する。
該当変動ＩＤを書換可能記憶部１３から削除する場合（ステップＳ３：Ｙｅｓ）、ステップＳ４で制御部１１は、該当変動ＩＤを書換可能記憶部１３から削除して本フローを終了する。また、上記ステップＳ３で該当変動ＩＤを書換可能記憶部１３から削除しない場合（ステップＳ３：Ｎｏ）、本フローを終了する。
【００２７】
図４は、入退場管理システム１の動作を示すフローチャートである。
まず、ステップＳ１１で受信部１４は、セキュリティ装置１００から送信された情報（位置ＩＤ及び変動ＩＤ）を受信する（図２の符号ａ参照）。
ステップＳ１２で制御部１１は、受信した情報（位置ＩＤ及び変動ＩＤ）から変動ＩＤを取り出す。
ステップＳ１３で制御部１１は、取り出した変動ＩＤが書換可能記憶部１３に記録されているか否かを判別する。
取り出した変動ＩＤが書換可能記憶部１３に記録されている場合（ステップＳ１３：Ｙｅｓ）、ステップＳ１４で発信部１４は、位置ＩＤと固定ＩＤとを発信（図２の符号ｂ参照）して本フローを終了する。取り出した変動ＩＤが書換可能記憶部１３に記録されていない場合（ステップＳ１３：Ｎｏ）、そのまま本フローを終了する。
【００２８】
以上のフローを実行することにより、下記の動作例が実現される。
図１（適宜図２参照）に示すように、ＲＦタグ１０は、自身を識別する固定ＩＤの他に、入退場管理エリア（自宅１０１、学校１０２、及び学習塾１０３）へ入退場するための変動ＩＤを有している。
ＲＦタグ１０に位置ＩＤを送信するセキュリティ装置１００の発信器１１０の記憶部１１２にも予め変動ＩＤを複数持たせておく。セキュリティ装置１００の発信器１１０は、親局のアンテナの場所を示す位置ＩＤと共に変動ＩＤを発信する。
【００２９】
ＲＦタグ１０は、セキュリティ装置１００の受信器１２０の受信可能エリアに進入すると、受信部１４がセキュリティ装置１００からの位置ＩＤ及び変動ＩＤを受信する。ＲＦタグ１０は、受信した変動ＩＤと自身が保持している変動ＩＤとのＩＤが合致する場合、自身の固定ＩＤと共に位置ＩＤを発信する。また、ＲＦタグ１０は、受信した変動ＩＤと自身が保持している変動ＩＤとのＩＤが合致しない場合には発信しない。
【００３０】
セキュリティ装置１００の受信器１２０の受信部１２２は、ＲＦタグ１０からの位置ＩＤと変動ＩＤを受信すると、受信器１２０の制御部１２１は、出力部１２３に対して電子錠１３０を解除する制御信号を出力する。電子錠１３０は、この制御信号を受けて施錠を解除する。
【００３１】
例えば、図１（ｂ）に示すように、ＲＦタグ１０Ａは、自宅１０１のセキュリティ装置１００（１００ａ）の発信器１１０の変動ＩＤ１と、学校１０２のセキュリティ装置１００（１００ｂ）の発信器１１０の変動ＩＤ２と、学習塾１０３のセキュリティ装置１００（１００ｃ）の発信器１１０の変動ＩＤ３と、を予め記憶させておく。また、ＲＦタグ１０Ｂは、学習塾１０３のセキュリティ装置１００（１００ｃ）の発信器１１０の変動ＩＤ３のみを予め記憶させておく。
図１（ａ）に示すように、入退場管理エリア（自宅１０１、学校１０２、及び学習塾１０３）に、ＲＦタグ１０Ａ又はＲＦタグ１０Ｂを保持した者が進入した場合を例に採る。
【００３２】
<自宅>
まず、ＲＦタグ１０Ａは、自宅１０１の変動ＩＤ１を保持している。自宅１０１に、ＲＦタグ１０Ａが進入した場合、自宅１０１のセキュリティ装置１００（１００ａ）の発信器１１０が発信した位置ＩＤと共に変動ＩＤ１を、ＲＦタグ１０Ａの受信部１４が受信する（図１（ａ）の符号ａ参照）。ＲＦタグ１０Ａは、受信した変動ＩＤ１と自身が保持している変動ＩＤ１とが合致しているので、自身の固定ＩＤと共に位置ＩＤを自宅１０１のセキュリティ装置１００（１００ａ）に対して発信する（図１（ａ）の符号ｂ参照）。
【００３３】
そして、自宅１０１のセキュリティ装置１００（１００ａ）の受信器１２０の受信部１２２は、ＲＦタグ１０Ａからの位置ＩＤと変動ＩＤ１を受信すると、受信器１２０の制御部１２１は、出力部１２３に対して電子錠１３０を解除する制御信号を出力する。電子錠１３０は、この制御信号を受けて施錠を解除する。
【００３４】
一方、ＲＦタグ１０Ｂは、学習塾１０３の変動ＩＤ３のみを保持しており、自宅１０１の変動ＩＤ１を保持していない。自宅１０１に、ＲＦタグ１０Ｂが進入した場合、自宅１０１のセキュリティ装置１００（１００ａ）の発信器１１０が発信した位置ＩＤと共に変動ＩＤ１を、ＲＦタグ１０Ｂの受信部１４は受信する（図１（ａ）の符号ｃ参照）。しかしながら、ＲＦタグ１０Ｂは、受信した変動ＩＤ１と自身が保持している変動ＩＤ３とが合致していないので、自身の固定ＩＤと共に位置ＩＤを自宅１０１のセキュリティ装置１００（１００ａ）に対して発信することはない。自宅１０１のセキュリティ装置１００（１００ａ）は、ＲＦタグ１０Ｂからの応答がないので、電子錠１３０の解除は行わない。
【００３５】
なお、自宅１０１のセキュリティ装置１００（１００ａ）によって発信された位置ＩＤ及び変動ＩＤ１（図１（ａ）の符号ａ参照）と、位置ＩＤ及び変動ＩＤ１（図１（ａ）の符号ｃ参照）とは、同一情報である。すなわち、セキュリティ装置１００（１００ａ）は、入退場管理エリア（自宅１０１）で、ＲＦタグ１０Ａ及びＲＦタグ１０Ｂを区別することなく（区別できない）、位置ＩＤ及び変動ＩＤ１を発信している。
【００３６】
<学校>
まず、ＲＦタグ１０Ａは、学校１０２の変動ＩＤ２を保持している。学校１０２に、ＲＦタグ１０Ａが進入した場合、学校１０２のセキュリティ装置１００（１００ｂ）の発信器１１０が発信した位置ＩＤと共に変動ＩＤ２を、ＲＦタグ１０Ａの受信部１４が受信する（図１（ａ）の符号ｄ参照）。ＲＦタグ１０Ａは、受信した変動ＩＤ２と自身が保持している変動ＩＤ２とが合致しているので、自身の固定ＩＤと共に位置ＩＤを学校１０２のセキュリティ装置１００（１００ｂ）に対して発信する（図１（ａ）の符号ｅ参照）。
【００３７】
そして、学校１０２のセキュリティ装置１００（１００ｂ）の受信器１２０の受信部１２２は、ＲＦタグ１０Ａからの位置ＩＤと変動ＩＤ１を受信すると、受信器１２０の制御部１２１は、出力部１２３に対して入退場を通知する装置の作動させる制御信号を出力する。通知装置は、この制御信号を受けて例えば入退場を知らせるアナウンスやチャイム音を放音する。
【００３８】
一方、ＲＦタグ１０Ｂは、学習塾１０３の変動ＩＤ３のみを保持しており、学校１０２の変動ＩＤ２を保持していない。学校１０２に、ＲＦタグ１０Ｂが進入した場合、学校１０２のセキュリティ装置１００（１００ｂ）の発信器１１０が発信した位置ＩＤと共に変動ＩＤ２を、ＲＦタグ１０Ｂの受信部１４は受信する（図１（ａ）の符号ｆ参照）。しかしながら、ＲＦタグ１０Ｂは、受信した変動ＩＤ２と自身が保持している変動ＩＤ３とが合致していないので、自身の固定ＩＤと共に位置ＩＤを学校１０２のセキュリティ装置１００（１００ｂ）に対して発信することはない。学校１０２のセキュリティ装置１００（１００ｂ）は、ＲＦタグ１０Ｂからの応答がないので、入退場の通知は行わない。
【００３９】
<学習塾>
まず、ＲＦタグ１０Ａは、学習塾１０３の変動ＩＤ３を保持している。学習塾１０３に、ＲＦタグ１０Ａが進入した場合、学習塾１０３のセキュリティ装置１００（１００ａ）の発信器１１０が発信した位置ＩＤと共に変動ＩＤ３を、ＲＦタグ１０Ａの受信部１４が受信する（図１（ａ）の符号ｇ参照）。ＲＦタグ１０Ａは、受信した変動ＩＤ３と自身が保持している変動ＩＤ３とが合致しているので、自身の固定ＩＤと共に位置ＩＤを学習塾１０３のセキュリティ装置１００（１００ｃ）に対して発信する（図１（ａ）の符号ｈ参照）。
【００４０】
一方、ＲＦタグ１０Ｂは、学習塾１０３の変動ＩＤ３のみを保持している。したがって、ＲＦタグ１０Ａの場合と同様に、学習塾１０３に、ＲＦタグ１０Ｂが進入した場合、学習塾１０３のセキュリティ装置１００（１００ｃ）の発信器１１０が発信した位置ＩＤと共に変動ＩＤ３を、ＲＦタグ１０Ａの受信部１４が受信する（図１（ａ）の符号ｉ参照）。ＲＦタグ１０Ａは、受信した変動ＩＤ３と自身が保持している変動ＩＤ３とが合致しているので、自身の固定ＩＤと共に位置ＩＤを学習塾１０３のセキュリティ装置１００（１００ｃ）に対して発信する（図１（ａ）の符号ｊ参照）。
【００４１】
そして、学習塾１０３のセキュリティ装置１００（１００ｃ）の受信器１２０の受信部１２２は、ＲＦタグ１０Ａ又はＲＦタグ１０Ｂからの位置ＩＤと変動ＩＤ３を受信すると、受信器１２０の制御部１２１は、出力部１２３に対して入退場を通知する装置の作動させる制御信号を出力する。通知装置は、この制御信号を受けて例えば入退場を知らせるアナウンスやチャイム音を放音する。
【００４２】
図１の例では、ＲＦタグ１０Ａは、入退場管理エリア（自宅１０１、学校１０２、及び学習塾１０３）のすべてのセキュリティ装置１００に対して自身の固定ＩＤと位置ＩＤを発信して各入退場管理エリアに進入できるのに対し、ＲＦタグ１０Ｂは、学習塾１０３のセキュリティ装置１００ｃに対してのみ自身の固定ＩＤと位置ＩＤを発信して学習塾１０３のみに入退場の通知をすることができる。
【００４３】
このように、ＲＦタグ１０Ａ又はＲＦタグ１０Ｂは、セキュリティ装置１００の発信器１１０が位置ＩＤと変動ＩＤを発信する入退場管理エリアへ進入した際に、受信した変動ＩＤと自身が保持している変動ＩＤとが合致している場合のみ、自身の固定ＩＤと共に位置ＩＤをセキュリティ装置１００に対して発信する。これにより、複数のＲＦタグ１０（ＲＦタグ１０Ａ又はＲＦタグ１０Ｂ）が、同時に入退場管理エリアに進入した場合の不要なＲＦタグの発信動作を抑制して（換言すれば、必要な発信動作に限定して）ＲＦタグの発信信号の衝突を低減することができる。
【００４４】
また、異なるアプリケーション用としてＲＦタグ１０を所持する場合、それぞれのアプリケーション用としてセキュリティ装置１００の発信器１１０とＲＦタグ１０の書換可能記憶部１３に変動ＩＤを登録することができる。これにより、ＲＦタグ１０を複数所持する必要がなくなる効果がある。
【００４５】
さらに、入退場管理システム１は、自宅１０１のセキュリティ装置１００（１００ａ）と学校１０２のセキュリティ装置１００（１００ｂ）と学習塾１０３のセキュリティ装置１００（１００ｃ）とを一括管理する上位システム（サーバ装置）の設置は不要であり、下記の効果がある。
例えば、扉を解錠するか否か、入退場の通知を許可するか否かを権限データとして、変動ＩＤを使用し、当該変動ＩＤをＲＦタグ１０に記憶する場合を想定する。この場合、本実施形態では、ＲＦタグ１０の受信データを解析して扉を解錠するか否か、入退場の通知を許可するか否かを判断する機能を、上位システムに持たせる必要がなくなるので、システム構成を簡素化することができ、コストを低減することができる。
【００４６】
以上説明したように、入退場管理システム１は、入退場管理エリア（自宅１０１、学校１０２、及び学習塾１０３）に設置され、ＲＦタグ１０との間でＩＤを送信又は受信する親局であるセキュリティ装置１００を備える。
セキュリティ装置１００は、親局のアンテナ位置を特定する位置ＩＤと、事前登録により入退場管理エリアへの入退場を可能にする変動ＩＤとを記憶する記憶部１１２と、位置ＩＤと変動ＩＤとを発信する発信部１１３と、ＲＦタグ１０から送信された位置ＩＤと固定ＩＤとを受信する受信部１２２と、ＲＦタグ１０からの位置ＩＤと固定ＩＤを受信した場合、入退場のための施錠の解除又は通知を行う制御部１２１と、を備える。
【００４７】
ＲＦタグ１０は、自身を一意に識別するための固定ＩＤと、事前登録により入退場管理エリアへの入退場を可能にする変動ＩＤとを記憶する記憶部１２，１３と、セキュリティ装置からの位置ＩＤ及び変動ＩＤを受信する受信部１４と、受信した変動ＩＤと自身が保持している変動ＩＤとのＩＤが合致するか否かを判別する制御部１１と、制御部が受信した変動ＩＤと自身が保持している変動ＩＤとのＩＤが合致した場合、自身の固定ＩＤと共に位置ＩＤを発信する発信部１５と、を備える。
【００４８】
このように、ＲＦタグ１０は、固定ＩＤとは別に、任意に事前登録可能な複数の変動ＩＤを持ち、ＲＦタグ１０（子局）側で入退場のための位置ＩＤの送信に対応する。すなわち、ＲＦタグ１０は、セキュリティ装置１００の発信器１１０が位置ＩＤと変動ＩＤを発信する入退場管理エリアへ進入した際に、受信した変動ＩＤと自身が保持している変動ＩＤとが合致している場合のみ、自身の固定ＩＤと共に位置ＩＤをセキュリティ装置１００に対して発信する。これにより、複数のＲＦタグ１０が、同時に入退場管理エリアに進入した場合の不要なＲＦタグの発信動作を抑制してＲＦタグの発信信号の衝突を低減することができる。また、各セキュリティ装置１００を一括管理する上位システムの設置は不要であるので、システム構成を簡素化することができ、コストを低減することができる。
【００４９】
例えば、新たな入退場管理エリアを設定する際にも、当該エリアに設置するセキュリティ装置と当該エリアへの入退場を許可するＲＦタグに対して、新たな変動ＩＤを追加的に記憶させればよい。また、エリアを削除する場合には、セキュリティ装置から削除したいエリアに対応する変動ＩＤを削除することで、当該変動ＩＤの送信を停止し、管理エリアを削除することができる。このように、本実施形態の入退場管理システムであれば、上位管理システムを用意して個々のＲＦタグに固有のＩＤを該管理システムに登録させる必要がなく、エリアの追加／削除を簡易なシステム構成で実現することができる。
【００５０】
なお、本発明は、上記実施形態に記載した構成に限定されるものではなく、特許請求の範囲に記載した本発明の要旨を逸脱しない限りにおいて、適宜その構成を変更することができる。
例えば、図２において、ＲＦタグ１０の記憶部は、書換不可記憶部１２、書換可能記憶部１３とを含む構成としたが、書換可能記憶部のみであってもよい。この場合、ＲＦタグ１０の固有ＩＤとして利用するＩＤを予め定めておき、変動ＩＤとは分けて運用することで、前述の実施形態と同様に簡素なシステム構造の退場管理システムを構築することができる。
【００５１】
上記した実施形態例は本発明をわかりやすく説明するために詳細に説明したものであり、必ずしも説明した全ての構成を備えるものに限定されるものではない。また、ある実施形態例の構成の一部を他の実施形態例の構成に置き換えることが可能であり、また、ある実施形態例の構成に他の実施形態例の構成を加えることも可能である。例えば、図２において親局の構成を受信器と送信器の二つに分けて説明したが、これらは受信部と送信部とを有する送受信器に置き換えてもよい。また、受信用アンテナを送信アンテナを一つの送受信アンテナに置き換えてもよい。また、各実施形態例の構成の一部について、他の構成の追加・削除・置換をすることが可能である。
【符号の説明】
【００５２】
１  入退場管理システム
１０，１０Ａ，１０Ｂ  ＲＦタグ（子局）
１１，１１１，１２１  制御部
１２  書換不可記憶部
１３  書換可能記憶部
１４，１２２  受信部
１５，１１３  発信部
１００，１００ａ，１００ｂ，１００ｃ  セキュリティ装置（親局）
１１０  発信器
１１２  記憶部
１１４  送信アンテナ
１２０  受信器
１２３  出力部
１２４  受信アンテナ
１３０  電子錠
【図１】
2015228134.tif 000003
【図２】
2015228134.tif 000004
【図３】
2015228134.tif 000005
【図４】
2015228134.tif 000006
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
入退場管理エリアに設置され、子局であるＲＦタグとの間でＩＤを電波で送信又は受信する親局であるセキュリティ装置を備え、
前記セキュリティ装置は、
親局のアンテナ位置を特定する第１のＩＤと、事前登録により前記入退場管理エリアへの入退場を可能にする第２のＩＤとを記憶する記憶部と、
前記第１のＩＤと前記第２のＩＤとを電波で発信する発信部と、
前記発信に応答して前記ＲＦタグから送信された前記第１のＩＤと当該ＲＦタグに固有の第３のＩＤとを電波で受信する受信部と、
前記ＲＦタグから発信される第１のＩＤと第３のＩＤを受信した場合、各ＩＤに基づいて入退場のための施錠の解除又は通知を行う制御部と、を備え、
前記ＲＦタグは、
前記セキュリティ装置から受信した第２のＩＤと自身に事前登録されている第２のＩＤとが合致した場合、前記第３のＩＤと前記第１のＩＤを電波で発信する
ことを特徴とする入退場管理システム。
【請求項２】
前記ＲＦタグは、
前記第３のＩＤと前記第２のＩＤとを記憶する記憶部と、
前記セキュリティ装置が備える発信部から発信される第１のＩＤ及び第２のＩＤを受信する受信部と、
前記受信した第２のＩＤと自身が保持している第２のＩＤとが合致した場合、前記第３のＩＤと共に前記第１のＩＤを発信する発信部と、を備える
ことを特徴とする請求項１に記載の入退場管理システム。
【請求項３】
前記第２のＩＤは、前記入退場管理エリアに対応したｎ（ｎは任意の自然数）個の書換可能なＩＤからなる
ことを特徴とする請求項１又は請求項２に記載の入退場管理システム。
【請求項４】
入退場管理エリアに設置されるセキュリティ装置との間でＩＤを送信または受信するＲＦタグであって、
前記セキュリティ装置から送信される当該セキュリティ装置の位置を特定する第１のＩＤおよび事前登録により前記入退場管理エリアへの入退場を可能にする第２のＩＤを受信する受信部と、
前記受信した第２のＩＤと自身が保持している第２のＩＤとが合致した場合、自身に固有の第３のＩＤと共に受信した前記第１のＩＤを発信する発信部と、を備える
ことを特徴とするＲＦタグ。
【請求項５】
前記ＲＦタグは、
書き換えできない書き換え不可領域と、書き換え可能領域とを含む記憶部を有し、
前記第２のＩＤを前記書き換え可能領域に記憶し、
前記第３のＩＤを前記書き換え不可領域に記憶する
ことを特徴とする請求項４に記載のＲＦタグ。
【請求項６】
入退場管理エリアに設置され、子局であるＲＦタグとの間でＩＤを送信又は受信する親局であるセキュリティ装置であって、
親局のアンテナ位置を特定する第１のＩＤと、事前登録により前記入退場管理エリアへの入退場を可能にする第２のＩＤとを記憶する記憶部と、
前記第１のＩＤと前記第２のＩＤとを発信する発信部と、
前記発信に応答して前記ＲＦタグから送信される前記第１のＩＤと当該ＲＦタグに固有の第３のＩＤとを受信する受信部と、
前記ＲＦタグから発信される第１のＩＤと第３のＩＤを受信した場合、各ＩＤに基づいて入退場のための施錠の解除又は通知を行う制御部と、を備える
ことを特徴とするセキュリティ装置。
【請求項７】
親局であるセキュリティ装置とＲＦタグとの間でＩＤを電波で送信又は受信することで入退場を管理する入退場管理方法であって、
前記セキュリティ装置は、
親局のアンテナ位置を特定する第１のＩＤと、事前登録により入退場管理エリアへの入退場を可能にする第２のＩＤとを電波で発信し、
前記ＲＦタグは、
前記セキュリティ装置から発信される前記第１のＩＤと前記第２のＩＤとを電波で受信し、前記受信する第２のＩＤと自身に事前登録されている第２のＩＤとが合致する場合、当該ＲＦタグに固有の第３のＩＤと前記第１のＩＤとを電波で発信し、
前記ＲＦタグから発信される第１のＩＤと前記第３のＩＤとを受信した前記セキュリティ装置は、各ＩＤに基づいて入退場のための施錠の解除又は通知を実行する
ことを特徴とする入退場管理方法。
【手続補正２】
【補正対象書類名】明細書
【補正対象項目名】０００６
【補正方法】変更
【補正の内容】
【０００６】
上記課題を解決するために、本発明の入退場管理システムは、入退場管理エリアに設置され、子局であるＲＦタグとの間でＩＤを電波で送信又は受信する親局であるセキュリティ装置を備え、前記セキュリティ装置は、親局のアンテナ位置を特定する第１のＩＤと、事前登録により前記入退場管理エリアへの入退場を可能にする第２のＩＤとを記憶する記憶部と、前記第１のＩＤと前記第２のＩＤとを電波で発信する発信部と、前記発信に応答して前記ＲＦタグから送信された前記第１のＩＤと当該ＲＦタグに固有の第３のＩＤとを電波で受信する受信部と、前記ＲＦタグから発信される第１のＩＤと第３のＩＤを受信した場合、各ＩＤに基づいて入退場のための施錠の解除又は通知を行う制御部と、を備え、前記ＲＦタグは、前記セキュリティ装置から受信した第２のＩＤと自身に事前登録されている第２のＩＤとが合致した場合、前記第３のＩＤと前記第１のＩＤを電波で発信することを特徴とする。
【手続補正書】
【提出日】平成26年12月29日(2014.12.29)
【手続補正１】
【補正対象書類名】特許請求の範囲
【補正対象項目名】全文
【補正方法】変更
【補正の内容】
【特許請求の範囲】
【請求項１】
入退場管理エリアに設置され、子局であるＲＦタグとの間でＩＤを電波で送信又は受信する親局であるセキュリティ装置を備え、
前記セキュリティ装置は、
親局のアンテナ位置を特定する第１のＩＤと、前記入退場管理エリアに対応したｎ（ｎは２以上の自然数）個の書換可能なＩＤからなり、かつ、事前登録により前記入退場管理エリアへの入退場を可能にする第２のＩＤとを記憶する記憶部と、
前記第１のＩＤと前記第２のＩＤとを電波で発信する発信部と、
前記発信に応答して前記ＲＦタグから送信された前記第１のＩＤと当該ＲＦタグに固有の第３のＩＤとを電波で受信する受信部と、
前記ＲＦタグから発信される第１のＩＤと第３のＩＤを受信した場合、各ＩＤに基づいて入退場のための施錠の解除又は通知を行う制御部と、を備え、
前記ＲＦタグは、
前記セキュリティ装置から受信した第２のＩＤと自身に事前登録されている第２のＩＤとが合致した場合、前記第３のＩＤと前記第１のＩＤを電波で発信する
ことを特徴とする入退場管理システム。
【請求項２】
前記ＲＦタグは、
前記第３のＩＤと前記第２のＩＤとを記憶する記憶部と、
前記セキュリティ装置が備える発信部から発信される第１のＩＤ及び第２のＩＤを受信する受信部と、
前記受信した第２のＩＤと自身が保持している第２のＩＤとが合致した場合、前記第３のＩＤと共に前記第１のＩＤを発信する発信部と、を備える
ことを特徴とする請求項１に記載の入退場管理システム。
【請求項３】
入退場管理エリアに設置されるセキュリティ装置との間でＩＤを電波で送信または受信するＲＦタグであって、
前記セキュリティ装置から送信される当該セキュリティ装置の位置を特定する第１のＩＤを記憶すると共に、事前登録により前記入退場管理エリアへの入退場を可能にし、かつ、前記入退場管理エリアに対応したｎ（ｎは２以上の自然数）個の書換可能なＩＤからなる第２のＩＤを記憶する記憶部と、
前記セキュリティ装置から送信された前記第１のＩＤ及び前記第２のＩＤを受信する受信部と、
前記受信した第２のＩＤと自身が保持している第２のＩＤとのＩＤが合致した場合、自身に固有の第３のＩＤと共に前記受信した第１のＩＤを発信する発信部と、
前記受信した第２のＩＤと自身が保持している第２のＩＤとのＩＤが合致するか否かを判別し、合致した場合に、前記発信部を介して前記第３のＩＤを送信する制御を行う制御部と、を備える
ことを特徴とするＲＦタグ。
【請求項４】
前記記憶部は、
書き換えできない書き換え不可領域と、書き換え可能領域とを有し、
前記第２のＩＤを前記書き換え可能領域に記憶し、
前記第３のＩＤを前記書き換え不可領域に記憶する
ことを特徴とする請求項３に記載のＲＦタグ。
【請求項５】
入退場管理エリアに設置され、子局であるＲＦタグとの間でＩＤを送信又は受信する親局であるセキュリティ装置であって、
親局のアンテナ位置を特定する第１のＩＤと、前記入退場管理エリアに対応したｎ（ｎは２以上の自然数）個の書換可能なＩＤからなり、かつ、事前登録により前記入退場管理エリアへの入退場を可能にする第２のＩＤとを記憶する記憶部と、
前記第１のＩＤと前記第２のＩＤとを発信する発信部と、
前記発信に応答して前記ＲＦタグから送信される前記第１のＩＤと当該ＲＦタグに固有の第３のＩＤとを受信する受信部と、
前記ＲＦタグから発信される第１のＩＤと第３のＩＤを受信した場合、各ＩＤに基づいて入退場のための施錠の解除又は通知を行う制御部と、を備える
ことを特徴とするセキュリティ装置。
【請求項６】
親局であるセキュリティ装置とＲＦタグとの間でＩＤを電波で送信又は受信することで入退場を管理する入退場管理方法であって、
前記セキュリティ装置は、
親局のアンテナ位置を特定する第１のＩＤと、入退場管理エリアに対応したｎ（ｎは２以上の自然数）個の書換可能なＩＤからなり、かつ、事前登録により入退場管理エリアへの入退場を可能にする第２のＩＤとを発信し、
前記ＲＦタグは、
前記セキュリティ装置から送信される当該セキュリティ装置の位置を特定する第１のＩＤを記憶すると共に、事前登録により前記入退場管理エリアへの入退場を可能にし、かつ、前記入退場管理エリアに対応したｎ（ｎは２以上の自然数）個の書換可能なＩＤからなる第２のＩＤを記憶し、
前記セキュリティ装置から送信された前記第１のＩＤ及び前記第２のＩＤを電波で受信し、
前記受信した第２のＩＤと自身が保持している第２のＩＤとのＩＤが合致した場合、自身に固有の第３のＩＤと共に前記受信した第１のＩＤを電波で発信し、
前記ＲＦタグから発信される第１のＩＤと前記第３のＩＤとを受信した前記セキュリティ装置は、各ＩＤに基づいて入退場のための施錠の解除又は通知を実行する
ことを特徴とする入退場管理方法。
【手続補正２】
【補正対象書類名】明細書
【補正対象項目名】０００６
【補正方法】変更
【補正の内容】
【０００６】
上記課題を解決するために、本発明の入退場管理システムは、入退場管理エリアに設置され、子局であるＲＦタグとの間でＩＤを電波で送信又は受信する親局であるセキュリティ装置を備え、前記セキュリティ装置は、親局のアンテナ位置を特定する第１のＩＤと、前記入退場管理エリアに対応したｎ（ｎは２以上の自然数）個の書換可能なＩＤからなり、かつ、事前登録により前記入退場管理エリアへの入退場を可能にする第２のＩＤとを記憶する記憶部と、前記第１のＩＤと前記第２のＩＤとを電波で発信する発信部と、前記発信に応答して前記ＲＦタグから送信された前記第１のＩＤと当該ＲＦタグに固有の第３のＩＤとを電波で受信する受信部と、前記ＲＦタグから発信される第１のＩＤと第３のＩＤを受信した場合、各ＩＤに基づいて入退場のための施錠の解除又は通知を行う制御部と、を備え、前記ＲＦタグは、前記セキュリティ装置から受信した第２のＩＤと自身に事前登録されている第２のＩＤとが合致した場合、前記第３のＩＤと前記第１のＩＤを電波で発信することを特徴とする。